(57)【要約】【課題】表示待機状態にある表示装置が正常に稼働しているのか、あるいは動作異常を起こしているのかを装置外観で簡単に判断することができる表示装置を提供する。【解決手段】表示装置が表示待機の状態になると、発光表示面に配置した発光体のうちの所定の発光体を発光させると共に、表示装置内部の動作状態に応じて発光体の位置を変えて発光させるようにした。また、表示装置内部の動作状態に応じて発光体の発光態様を変えて発光させるものである。【選択図】図３
2006292791.tif 000002
【特許請求の範囲】
【請求項１】
複数配置した発光体を点滅制御することで表示パターンを発光表示する表示装置であって、通電稼働状態でありつつ表示動作を行わない表示待機中に、前記複数の発光体のうちの所定の発光体を発光させるようにした装置において、
表示待機中における表示装置内部の動作状態を、表示待機中であることを示す前記所定の発光体に基づいて判別できるようにしたことを特徴とする表示装置。
【請求項２】
請求項１記載の表示装置において、表示待機中における表示装置内部の動作状態に応じて、表示待機中であることを示す前記所定の発光体の位置を変えることを特徴とする表示装置。
【請求項３】
請求項１記載の表示装置において、表示待機中における表示装置内部の動作状態に応じて、表示待機中であることを示す前記所定の発光体の発光態様を変えることを特徴とする表示装置。
【請求項４】
請求項１記載の表示装置において、表示待機中における表示装置内部の動作状態に応じて、表示待機中であることを示す前記所定の発光体の発光色を変えることを特徴とする表示装置。
【請求項５】
複数配置した発光体を点滅制御することで表示パターンを発光表示する表示装置であって、通電稼働状態でありつつ表示動作を行わない表示待機中に、前記複数の発光体のうちの所定の発光体を発光させるようにした装置において、
表示装置の各種設定操作を行うリモコン入力装置を備え、該リモコン入力装置により表示装置の表示をオフにする操作があったとき、表示装置を非表示状態にすると共に、前記複数の発光体のうちの所定の発光体を第１の態様で発光させることを特徴とする表示装置。
【請求項６】
請求項５記載の表示装置において、前記リモコン入力装置により表示装置の表示をオフにする操作があったとき、表示装置を非表示状態にすると共に、前記複数の発光体のうちの所定の発光体を第１の発光色で発光させることを特徴とする表示装置。
【請求項７】
複数配置した発光体を点滅制御することで表示パターンを発光表示する表示装置であって、通電稼働状態でありつつ表示動作を行わない表示待機中に、前記複数の発光体のうちの所定の発光体を発光させるようにした装置において、
表示装置の表示開始時刻と表示終了時刻とを指定することで稼働時間帯を設定する営業時間設定部を備え、表示装置が稼働時間帯から外れた営業時間外にあるとき、表示装置を非表示状態にすると共に、前記複数の発光体のうちの所定の発光体を第２の態様で発光させることを特徴とする表示装置。
【請求項８】
請求項７記載の表示装置において、表示装置が稼働時間帯から外れた営業時間外にあるとき、表示装置を非表示状態にすると共に、前記複数の発光体のうちの所定の発光体を第２の発光色で発光させることを特徴とする表示装置。
【請求項９】
複数配置した発光体を点滅制御することで表示パターンを発光表示する表示装置であって、通電稼働状態でありつつ表示動作を行わない表示待機中に、前記複数の発光体のうちの所定の発光体を発光させるようにした装置において、
前記複数の発光体を点滅制御するための表示パターンデータを記憶すると共に、表示パターンデータの表示タイミングを規定するスケジュールデータを記憶する表示データ記憶部を備え、該表示データ記憶部に表示パターンデータまたはスケジュールデータのうちの少なくとも一方が存在しないとき、前記複数の発光体のうちの所定の発光体を第３の態様で発光させることを特徴とする表示装置。
【請求項１０】
請求項９記載の表示装置において、前記表示データ記憶部に表示パターンデータまたはスケジュールデータのうちの少なくとも一方が存在しないとき、前記複数の発光体のうちの所定の発光体を第３の発光色で発光させることを特徴とする表示装置。
【発明の詳細な説明】
【技術分野】
【０００１】
本発明は、ＬＥＤ（発光ダイオード）等の発光体をプリント基板上に複数配列し、発光体を点滅させることで文字や画像を発光表示する表示装置に関する。
【背景技術】
【０００２】
従来、複数のＬＥＤを広告用文字や図形に合わせて埋め文字状に配置し、文字・図形を固定的に発光表示したり、あるいは複数のＬＥＤをドットマトリクス状に配列して任意の文字や図形を発光表示する表示装置が知られている。
【発明の開示】
【発明が解決しようとする課題】
【０００３】
こうした従来の表示装置において、装置が正常に稼働しながら発光表示を行っていない表示待機の状態と、そもそも装置への通電が無いことで発光表示が行われない非通電の状態とを区別するために、本出願人は特許文献１に示す表示装置を提案した。当該提案によれば、表示待機中に表示パネル内の１つ以上の所定のＬＥＤを点灯または点滅させることにより、表示が行われていない場合に、それが正常な動作として表示待機中であるのか、あるいは非通電による結果であるのかを知ることができる。
【０００４】
ところで、表示装置が表示待機の状態に至るには幾通りかのケースがある。具体例をあげれば、タイマー設定する表示装置の稼働時間帯から外れているために表示待機となるケース、あるいは、電源ケーブルを元電源に接続したままリモコン入力装置で電源オフ（表示オフ）の操作が行われたために表示待機となるケースなどである。また、発光表示を行うためのデータが存在しなかったり、データの登録に不具合があった場合にも表示が全く行われないことがあり、そのようなときには見かけ上表示待機と見分けがつかない状態となる。
【０００５】
この点に関して従来は、表示待機の状態と非通電の状態とを区別することはできても、表示待機中の表示装置内部の状態を外観から知ることができなかった。そのため、通電状態でありながら表示画面が消灯している装置を見たときに、それが正常な状態であるのか、あるいは不具合に起因しているのかを一見して判断することができず、故障と見誤って表示装置の保守管理者へナンセンスコールが寄せられるという事態が発生していた。
【０００６】
本発明は上記のような問題点に対処してなされたもので、表示待機状態にある表示装置が正常に稼働しているのか、あるいは動作異常を起こしているのかを装置外観で簡単に判断することができる表示装置を提供することを目的としている。
【特許文献１】特開平９−２４４５５０号
【課題を解決するための手段】
【０００７】
（１）本発明は上記課題を解決するために、複数配置した発光体を点滅制御することで表示パターンを発光表示する表示装置であって、通電稼働状態でありつつ表示動作を行わない表示待機中に、前記複数の発光体のうちの所定の発光体を発光させるようにした装置において、表示待機中における表示装置内部の動作状態を、表示待機中であることを示す前記所定の発光体に基づいて判別できるようにしたことを特徴とする表示装置を提案する。
【０００８】
（２）また、請求項２記載の表示装置は、表示待機中における表示装置内部の動作状態に応じて、表示待機中であることを示す所定の発光体の位置を変えるものである。
【０００９】
（３）また、請求項３記載の表示装置は、表示待機中における表示装置内部の動作状態に応じて、表示待機中であることを示す所定の発光体の発光態様を変えるものである。
【００１０】
（４）また、請求項４記載の表示装置は、表示待機中における表示装置内部の動作状態に応じて、表示待機中であることを示す前記所定の発光体の発光色を変えるものである。
【００１１】
（５）また、複数配置した発光体を点滅制御することで表示パターンを発光表示する表示装置であって、通電稼働状態でありつつ表示動作を行わない表示待機中に、前記複数の発光体のうちの所定の発光体を発光させるようにした装置において、表示装置の各種設定操作を行うリモコン入力装置を備え、該リモコン入力装置により表示装置の表示をオフにする操作があったとき、表示装置を非表示状態にすると共に、前記複数の発光体のうちの所定の発光体を第１の態様で発光させることを特徴とする表示装置を提案する。
【００１２】
（６）また、請求項６記載の表示装置は、前記リモコン入力装置により表示装置の表示をオフにする操作があったとき、表示装置を非表示状態にすると共に、前記複数の発光体のうちの所定の発光体を第１の発光色で発光させるものである。
【００１３】
（７）また、複数配置した発光体を点滅制御することで表示パターンを発光表示する表示装置であって、通電稼働状態でありつつ表示動作を行わない表示待機中に、前記複数の発光体のうちの所定の発光体を発光させるようにした装置において、表示装置の表示開始時刻と表示終了時刻とを指定することで稼働時間帯を設定する営業時間設定部を備え、表示装置が稼働時間帯から外れた営業時間外にあるとき、表示装置を非表示状態にすると共に、前記複数の発光体のうちの所定の発光体を第２の態様で発光させることを特徴とする表示装置を提案する。
【００１４】
（８）また、請求項８記載の表示装置は、表示装置が稼働時間帯から外れた営業時間外にあるとき、表示装置を非表示状態にすると共に、前記複数の発光体のうちの所定の発光体を第２の発光色で発光させるものである。
【００１５】
（９）また、複数配置した発光体を点滅制御することで表示パターンを発光表示する表示装置であって、通電稼働状態でありつつ表示動作を行わない表示待機中に、前記複数の発光体のうちの所定の発光体を発光させるようにした装置において、前記複数の発光体を点滅制御するための表示パターンデータを記憶すると共に、表示パターンデータの表示タイミングを規定するスケジュールデータを記憶する表示データ記憶部を備え、該表示データ記憶部に表示パターンデータまたはスケジュールデータのうちの少なくとも一方が存在しないとき、前記複数の発光体のうちの所定の発光体を第３の態様で発光させることを特徴とする表示装置を提案する。
【００１６】
（１０）また、請求項１０記載の表示装置は、前記表示データ記憶部に表示パターンデータまたはスケジュールデータのうちの少なくとも一方が存在しないとき、前記複数の発光体のうちの所定の発光体を第３の発光色で発光させるものである。
【発明の効果】
【００１７】
請求項１乃至４の発明によれば、表示装置が表示待機の状態になると、発光表示する面に配置した発光体のうちの所定の発光体を発光させると共に、表示装置内部の動作状態に応じて発光体の位置を変えて発光させる。また、表示装置内部の動作状態に応じて発光体の発光態様あるいは発光色を変えて発光させる。これにより、表示待機中の表示装置を一見しただけで、表示装置内部の動作状態を知ることができる。
【００１８】
また、請求項５乃至６の発明によれば、表示装置の各種設定操作を行うリモコン入力装置によって表示をオフにする操作があったとき、発光表示を止めて、それまで表示を行っていた複数の発光体のうちの所定の発光体を第１の態様または第１の発光色で発光させる。したがって、表示画面が消灯している表示装置の外観を見たときに、予め表示装置に登録されているスケジュールにしたがって非表示状態になったのではなく、リモコン入力装置により表示が消されたものであると一目で判断することができる。
【００１９】
また、請求項７乃至８の発明によれば、表示装置の表示開始時刻と表示終了時刻を指定することで装置の営業時間を予めスケジュール登録しておき、営業時間内のみ表示を行って、営業時間から外れた時間帯では表示を行わずに、表示用の発光体のうちの所定の発光体を第２の態様または第２の発光色で発光させる。したがって、表示画面が消灯されている表示装置の外観を見たときに、リモコン入力装置の操作によって表示が消されたのではなく、予め登録された営業時間から外れているために表示が行われないのであると一目で判断することができる。
【００２０】
また、請求項９乃至１０の発明によれば、表示装置内部の表示データ記憶部に記憶させておく表示パターンデータとスケジュールデータのうち、少なくともいずれか一方のデータが存在しないとき、表示用の発光体のうちの所定の発光体を第３の態様または第３の発光色で発光させる。したがって、表示画面が消灯されている表示装置の外観を見たときに、リモコン入力装置による表示オフの操作があったり、営業時間から外れているために表示が行われないのではなく、発光表示動作を行うために不可欠なデータに不具合があったために表示を行うことができないのであると一目で判断することができる。
以下、本発明の好適な実施形態を図面を参照しながら説明する。
【実施例１】
【００２１】
図１は本発明実施例による表示装置の全体構成を示す説明図である。１は表示パネルで、発光体たるＬＥＤをプリント基板上に縦横ドットマトリクス状に配列している。本実施例では、縦１６個×横１６個のマトリクスで全角サイズの１文字を表示するようにしており、同時に４文字表示可能なよう１６×１６ドットのマトリクスを縦に４段重ねて、表示パネル全体として縦６４ドット×横１６ドットのマトリクスを形成している。２は表示ドライバであり、後述するＶＲＡＭに展開された後に出力される表示パターンデータを受けて表示パネル１に配列したＬＥＤをダイナミック点灯駆動し、マトリクス上に任意の文字や図形、画像等を発光表示する。３はＣＰＵで、メモリ４で記憶するプログラムやデータにしたがって表示処理手順をこなす。メモリ４は、表示装置全体の動きに関する動作プログラムが記憶される制御プログラム記憶部４ａと、表示パネル１に表示する表示パターンデータとその表示パターンデータをどのようなタイミングで表示するかを指定するスケジュールデータとが記憶される表示データ記憶部４ｂと、表示輝度の設定値や営業時間の設定値など表示装置に関する各種設定データを記憶するデータ記憶部４ｃとを備えている。
【００２２】
表示データ記憶部４ｂには複数種類の表示パターンデータが記憶され、その１つ１つの表示パターンデータは、文字・絵記号・単語・文章・画像などで構成されており、識別のための表示データ番号が付与されてこの表示データ番号と対応づけて記憶される。また、各表示パターンデータにはそれをどのような表示動作（態様）で表示するのかを指定する表示モード情報が付与されている。表示モードには、スクロール、反転表示、点滅表示といった公知の表示動作が複数用意されており、表示パターンデータを作成する際に組み合わせて設定することができる。各表示パターンデータの中身は文字・絵記号・画像を組み合わせることで装置を購入したユーザが任意に作成可能であるが、すぐに表示可能なよう最初から作成済みのデータも用意されている。
【００２３】
このように、表示データ記憶部４ｂに記憶された表示パターンデータを表示するには、各表示パターンデータにスケジュールデータを与える必要がある。もっとも簡単にスケジュールデータを与えるには、表示パターンデータの表示データ番号を指定して表示させたい順番にベース表示枠に登録すればよい。ベース表示枠とは、表示データ記憶部４ｂに確保された記憶領域であり、表示パターンデータの表示データ番号をこのベース表示枠に登録しておくことにより、表示装置が稼働している間、登録した表示パターンデータを登録順に繰り返して連続的に表示させることができる。また、特定の表示パターンデータを指定する日付または時刻に自動的に表示させるよう設定することもできる。各表示パターンデータに対して表示させたい日付・時刻を表示スケジュールとして付与し、タイマー表示枠に登録すればよい。ちなみに、このタイマー表示枠も前記ベース表示枠と同様、表示データ記憶部４ｂに所定の記憶領域が確保されている。
【００２４】
５はＶＲＡＭで、スケジュールデータに基づいて表示データ記憶部４ｂから読み出した表示パターンデータを記憶領域にビット情報として展開し、表示ドライバ２にＬＥＤ駆動信号を出力する。６はリアルタイムクロックＩＣで、ＣＰＵ３から任意のタイミングで要求を受け、現在時刻と年・日付・曜日を出力する。７は電源ユニットであり、外部の商用電源から供給されるＡＣ１００Ｖを受け、ＤＣ５Ｖに変換して表示装置内部に供給する。８はリモコン入力装置で、表示装置本体側に取り付けられたリモコン受信部８−１を介して表示装置と通信を行い、リモコン操作に伴い表示パネル１に表示されるメニューにしたがって表示パターンデータの作成や変更、スケジュールデータの設定、その他各種の設定を行うことができる。９は営業時間設定部で、リモコン入力装置８を操作して表示装置の営業時間を設定することができる。
【００２５】
リモコン入力装置８には、図２に示すように、表示装置の表示電源をオン／オフする電源キー８ａと、各種の設定項目を選択したり決定するメニューキー８ｂと、数字・アルファベット・かなを入力するテンキー８ｃと、設定操作を行う際に入力カーソル位置を指定するための方向キー８ｄが配置されている。電源キー８ａを操作すると、押下のたびに表示装置の表示電源をオン／オフ切り替えすることができ、リモコン８で表示電源をオフにすることによって、表示装置は通電状態のまま表示動作を終了する。この場合、電源は商用電源に接続されたまま表示を終了するため、リモコン８の電源キー操作のみで表示を再開させることができる。
【００２６】
次に、表示装置の営業時間について説明する。営業時間とは、表示装置を稼働させる時間帯を意味し、表示装置の表示開始時刻と表示終了時刻を１日２４時間の時間的範囲で指定することによって、表示開始時刻になると装置の電源をオンにし、表示終了時刻にオフすることができる。もちろん電源は商用電源に接続したままの通電状態にしておく必要があるが、この営業時間を営業時間設定部９に一度設定しておけば、表示動作の開始と終了を日々自動的に行うことができる。営業時間の設定は、以下の１〜５の操作手順によって行うことができる。１．稼働中の表示装置に向かってメニューキー８ｂの機能１キーを押す。２．機能１キーの押下を受けて表示パネル１に表示されたメニューの中から、リモコンの方向キー８ｄを操作して「営業時間設定」を選択する。３．「営業時間設定」を選択した状態でメニューキー８ｂの決定キーを押す。４．決定キーの押下を受けて表示パネル１に表示された時刻範囲入力位置に、テンキー８ｃを操作して表示開始時刻と表示終了時刻を入力する。５．入力した時刻を表示させた状態でメニューキー８ｂの決定キーを押す。
【００２７】
次に、図３を基にして表示待機中の動作について説明する。表示待機中とは、通電状態でありつつ表示を行っていない状態を指し、表示装置が正常に動作している結果現れる現象である。この表示待機に至るには複数通りの状況が存在する。１つにはリモコン８の電源キー８ａにより表示装置の表示電源をオフにした状態である。２つ目は営業時間から外れているために表示を行っていない状態である。表示待機中は文字や記号等をいっさい表示しないため、外観から判断すると、商用電源に接続したまま（通電状態のまま）表示を行っていないことから表示待機中の状態であることまでは分かっても、リモコンの電源キーで表示オフされているのか、それとも営業時間外であるのかという表示装置内部の動作状態を知ることができない。そこで図３に示すように、表示パネル１に配列したＬＥＤを利用し、表示待機中であることと、そのときの表示装置内部の動作状態を表すようにしている。具体的には、リモコンの電源キー８ａで表示オフされているとき、表示パネル１の右上隅に位置するＬＥＤ１ａを連続点灯する。表示パネル１にドットマトリクス配列された他のＬＥＤが全て消灯している中でＬＥＤ１ａのみが連続点灯するので、リモコンの電源キー操作によって表示待機となったことが一目で分かる。また、営業時間から外れていることで表示待機中の場合は、表示パネル１の右上隅に位置するＬＥＤ１ａを点滅発光させる。営業時間外で表示を消灯している間は継続してＬＥＤ１ａのみが点滅発光するので、外観を見ただけで営業時間外であることが分かる。
【００２８】
次に、上記とは別のケースで表示待機中となった場合の動作について説明する。そのようなケースとしては、表示データ記憶部４ｂに表示パターンデータが存在しないか、あるいは存在したとしてもそれにスケジュールデータが与えられていない場合がある。表示装置としての機能は正常に動作しているのであるが、取り扱い上のミスにより表示が行われないこのケースでは、図３に示す表示パネル１の右下隅に位置するＬＥＤ１ｂを点滅発光させる。これにより、表示待機中の外観を見ただけで、表示パターンデータが存在しないか、スケジュールデータが存在しないために表示が行われていないことを知ることができる。
【００２９】
なお、プログラムの暴走や、ハードウェア上のトラブルといった上記以外の原因で表示が行われない事態が発生する可能性も考えられるが、そのような場合は、ＬＥＤ１ａや１ｂが消灯したままであるため、表示装置に何らかのトラブルが発生して表示が行われないことを装置の外観から知ることができる。
【実施例２】
【００３０】
次に第２の実施例について説明する。第２の実施例では、表示パネル１にＲＧＢ各色のＬＥＤを配列している。１６×１６ドットマトリクスの１ドットあたりに赤色発光素子（ＬＥＤ）・緑色発光素子（ＬＥＤ）・青色発光素子（ＬＥＤ）を備えて点滅制御することにより、いわゆるマルチカラー表示を可能にしている。このように１ドットごとに複数色の発光を行えるようにすることで、図４に示すような発光色を利用した待機中表示が可能になる。すなわち、リモコンの電源キー８ａで表示オフされているとき、表示パネル１の右上隅に位置するＬＥＤ１ａを緑色で点灯する。また、営業時間外で表示待機中の場合はＬＥＤ１ａをオレンジ色で点灯する。そして、表示データ記憶部４ｂに表示パターンデータが存在しないか、スケジュールデータが存在しないために表示が行われていない場合は、ＬＥＤ１ａを赤色で点灯する。このような実施形態では、発光色と発光態様を組み合わせることも可能である。例えば、表示パターンデータかスケジュールデータが存在しないことを表す赤色表示の場合に点滅動作するようにしてもよい。また、等間隔の点滅ではなく所定のリズムに合わせて点滅させるようにすればより効果的に注意喚起を行うことができる。なお、これら３種類の発光色は任意に選択することが可能であるが、白色や青色といった発光色よりも、耐久性や消費電力の面で優れる赤色や緑色が適当であり、更に表示待機中の間は表示稼働中より低い発光輝度とするのがより望ましい。
【００３１】
本発明は以上のように構成されるが、上記実施例に限定されることなく、特許請求の範囲を逸脱しない範囲で種々の実施が可能である。例えば、上記実施例ではドットマトリクスタイプの表示装置について説明しているが、ＬＥＤを所定の文字や絵記号の形を形成するように配置したいわゆる埋め文字タイプの表示装置でも実施可能であることはいうまでもない。また、表示待機中であることを示すＬＥＤランプ１ａ・１ｂは、実施例中に示した位置だけでなく、他の位置に配置されたランプでもよい。
【図面の簡単な説明】
【００３２】
【図１】本発明実施例に関わる表示装置の全体構成を示す説明図である。
【図２】リモコン入力装置の操作キー配列を示す説明図である。
【図３】表示パネルを示す説明図である。
【図４】第２の実施例を示す説明図である。
【符号の説明】
【００３３】
１    表示パネル
１ａ  表示待機中を示すＬＥＤランプ
１ｂ  表示待機中を示すＬＥＤランプ
２    表示ドライバ
３    ＣＰＵ
４    メモリ
４ａ  制御プログラム記憶部
４ｂ  表示データ記憶部
４ｃ  データ記憶部
５    ＶＲＡＭ
６    リアルタイムクロックＩＣ
７    電源ユニット
８    リモコン入力装置
８ａ  電源キー
９    営業時間設定部
【図１】
2006292791.tif 000003
【図２】
2006292791.tif 000004
【図３】
2006292791.tif 000005
【図４】
2006292791.tif 000006